(57)【要約】    【課題】  容易な操作にて未視聴のコンテンツを撮影の時系列に逆らうことなく再生するとともに、その再生時の再生開始位置を、撮影時の操作の状況によって最適な位置にすることが可能となる撮像装置、その制御方法および該制御方法を実現するためのプログラムを提供する。    【解決手段】  プレイモードにて、既存の既存のコンテンツを再生した後、停止し、そのままカメラモードに移行し、新規コンテンツ１を撮影し、さらに一旦停止した後に、新規コンテンツ２を撮影し、プレイモードに戻して、再生を行う場合（（ｂ））、再生の開始位置は、新規コンテンツ１の記録開始の位置となる。一方、プレイモードにて、前記既存のコンテンツを再生した後、停止し、そのままカメラモードに移行して、新規コンテンツ３を撮影し、装置本体の電源を切った後、再び本体の電源を入れ、カメラモードに移行して、新規コンテンツ４を撮影し、その後プレイモードにして、再生を行う場合（（ｃ））、再生の開始位置は、新規コンテンツ４の記録開始の位置となる。【選択図】      図５
2006217263.tif 000002
【特許請求の範囲】
【請求項１】
被写体を撮影して、画像信号を生成する撮像手段と、
撮影開始の指示から撮影停止の指示までの間に、前記撮像手段によって生成された一連の動画像信号を１つのカットとして記録媒体に記録するとともに、該記録媒体に記録された動画像信号を再生する記録再生手段と、
前記記録媒体に記録された動画像信号を再生する再生モードと前記記録媒体に対して前記動画像信号を記録する記録モードとを切り替えて設定するモード設定手段と、
前記モード設定手段によって再生モードが設定され、再生開始の指示があったことに応じて、単位期間内に記録された複数の前記カットのうち、最初に記録したカットから前記動画像信号を再生するように前記記録再生手段を制御する制御手段と
を備えたことを特徴とする撮像装置。
【請求項２】
前記単位期間は、前記モード設定手段によって前記再生モードから前記記録モードに切り替えられてから、再び前記再生モードに切り替えられるまでの期間であることを特徴とする請求項１に記載の撮像装置。
【請求項３】
前記制御手段は、前記単位期間内に前記動画像信号が記録されなかった場合には、前記記録モードに切り替える前の前記再生モードにおける再生停止位置から前記動画像データを再生するように前記記録再生手段を制御することを特徴とする請求項２に記載の撮像装置。
【請求項４】
前記単位期間は、当該撮像装置に電源が投入されてから、前記再生モードが設定されるまでの期間であることを特徴とする請求項１に記載の撮像装置。
【請求項５】
前記単位期間は、直前のカットが記録された日の翌日以降前記再生モードが設定されるまでの期間であることを特徴とする請求項１に記載の撮像装置。
【請求項６】
前記単位期間は、直前のカットが記録されてから所定期間以上経過した後に前記動画像信号が記録されてから前記再生モードが設定されるまでの期間であることを特徴とする請求項１に記載の撮像装置。
【請求項７】
撮影開始の指示から撮影停止の指示までの間に、撮像手段によって生成された一連の動画像信号を１つのカットとして記録媒体に記録するとともに、該記録媒体に記録された動画像信号を再生する記録再生ステップと、
前記記録媒体に記録された動画像信号を再生する再生モードと前記記録媒体に対して前記動画像信号を記録する記録モードとを切り替えて設定するモード設定ステップと、
前記モード設定ステップによって再生モードが設定され、再生開始の指示があったことに応じて、単位期間内に記録された複数の前記カットのうち、最初に記録したカットから前記動画像信号を再生するように前記記録再生ステップを制御する制御ステップと
を備えたことを特徴とする撮像装置の制御方法。
【請求項８】
請求項７に記載の撮像装置の制御方法を、コンピュータに実行させるためのプログラム。
【請求項９】
請求項８に記載のプログラムを格納した、コンピュータ読み取り可能な記憶媒体。
【発明の詳細な説明】
【技術分野】
【０００１】
本発明は、光ディスクやフラッシュメモリカードなどを記録媒体とするビデオカメラやビデオ録画装置などの撮像装置、その制御方法および該制御方法を実現するためのプログラムに関する。
【背景技術】
【０００２】
近年、記録媒体として、大容量の光ディスクであるＤＶＤ（Digital Versatile Disk）やフラッシュメモリカードを用いる映像記録装置が普及してきている。これらの記録媒体、たとえばＤＶＤは、４.７ＧＢの容量を持ち、ＭＰＥＧ−２（Moving Picture Experts Group 2）による画像圧縮符号化処理技術を用いて、従来のＳ−ＶＨＳ（Super-VHS）程度の高画質映像を２時間程度記録することが可能である。
【０００３】
そして、この種の記録媒体を用いてテレビ放送番組を録画する装置も登場している（たとえば、特許文献１参照）。テレビ放送を録画する場合、１つの番組の放送時間は３０分〜１時間程度であるため、１つのディスクに記録されるコンテンツは多くて４つ程度である。したがって、再生時にユーザが所望のコンテンツを探し出すことは容易である。
【０００４】
一方、近年、この種のディスクに対してカメラで撮影した動画像を記録するディスクビデオカメラも登場している。
【特許文献１】特開２００１−２９１３７６号公報
【発明の開示】
【発明が解決しようとする課題】
【０００５】
しかし、ディスクビデオカメラでは、１つのコンテンツの録画時間は、短い場合には１分程度であるため、１つのディスクに１００近くのコンテンツが記録できることもあり、このような多数のコンテンツが記録されているディスクに対し、さらにコンテンツを追記した場合、ディスクに記録された多数のコンテンツから、新たに追記したコンテンツを探して再生するのは困難であった。
【０００６】
本発明は、この点に鑑みてなされたものであり、容易な操作にて未視聴のコンテンツを撮影の時系列に逆らうことなく再生するとともに、その再生時の再生開始位置を、撮影時の操作の状況によって最適な位置にすることが可能となる撮像装置、その制御方法および該制御方法を実現するためのプログラムを提供することを目的とする。
【課題を解決するための手段】
【０００７】
上記目的を達成するため、請求項１に記載の撮像装置は、被写体を撮影して、画像信号を生成する撮像手段と、撮影開始の指示から撮影停止の指示までの間に、前記撮像手段によって生成された一連の動画像信号を１つのカットとして記録媒体に記録するとともに、該記録媒体に記録された動画像信号を再生する記録再生手段と、前記記録媒体に記録された動画像信号を再生する再生モードと前記記録媒体に対して前記動画像信号を記録する記録モードとを切り替えて設定するモード設定手段と、前記モード設定手段によって再生モードが設定され、再生開始の指示があったことに応じて、単位期間内に記録された複数の前記カットのうち、最初に記録したカットから前記動画像信号を再生するように前記記録再生手段を制御する制御手段とを備えたことを特徴とする。
【０００８】
上記目的を達成するため、請求項７に記載の撮像装置の制御方法は、撮影開始の指示から撮影停止の指示までの間に、撮像手段によって生成された一連の動画像信号を１つのカットとして記録媒体に記録するとともに、該記録媒体に記録された動画像信号を再生する記録再生ステップと、前記記録媒体に記録された動画像信号を再生する再生モードと前記記録媒体に対して前記動画像信号を記録する記録モードとを切り替えて設定するモード設定ステップと、前記モード設定ステップによって再生モードが設定され、再生開始の指示があったことに応じて、単位期間内に記録された複数の前記カットのうち、最初に記録したカットから前記動画像信号を再生するように前記記録再生ステップを制御する制御ステップとを備えたことを特徴とする。
【発明の効果】
【０００９】
本発明によれば、最後に記録したコンテンツではなく、再生していない新規コンテンツの先頭から再生が行われるため、使用者がサーチ操作などを行うことなく新規コンテンツにアクセスできる。
【発明を実施するための最良の形態】
【００１０】
以下、本発明の実施の形態を図面に基づいて詳細に説明する。
【００１１】
（第１の実施の形態）
まず、本発明の第１の実施の形態に係る撮像装置を適用したデジタルビデオカメラについて説明する。
【００１２】
図１は、本実施の形態のデジタルビデオカメラの概略構成を示すブロック図である。
【００１３】
同図において、本実施の形態のデジタルビデオカメラは、被写体を取り込む撮影レンズ１０１と、後述の撮像素子への光量を制御する絞り１０２と、取り込んだ被写体を画像信号に変換する撮像素子１０３と、前記画像信号をサンプルホールドし、適正な信号レベルにするＣＤＳ（Correlated double sampling）／ＡＧＣ（automatic gain control）回路１０４と、該ＣＤＳ／ＡＧＣ回路１０４からの画像信号をＡ／Ｄ（analog to digital）変換し、デジタル信号処理を行うデジタル信号処理回路１０５と、該デジタル信号処理回路１０５からの生データを１フレーム分ずつ蓄積するフレームメモリ１０６と、該フレームメモリ１０６の画素を、後述のＭＰＥＧ−２またはＭＰＥＧ−４方式で記録できるように、適切な画素数を調整する画素数調整回路１０７と、各ブロック間の画像データおよび後述の音声データが行き来する画像バス１０８と、前記画像データと共に後述のリムーバブルディスクに記録される音声を集音するマイクロフォン１０９と、該マイクロフォン１０９からの音声信号を適当なレベルまで増幅する増幅器１１０と、該増幅された音声信号をＡ／Ｄ変換するＡ／Ｄコンバータ１１１と、再生モード時には後述のＭＰＥＧ−２コーデック１１４からの再生画像データを表示する一方、撮影時には撮像素子１０３で撮像された映像を表示する液晶ディスプレイ１１２と、該液晶ディスプレイ１１２を駆動する液晶ドライバ１１３と、画像バス１０８からのデジタル画像信号を動画としてＭＰＥＧ−２方式による圧縮を行うと共に、後述のフラッシュメモリに記録されたＭＰＥＧ−２圧縮データを伸長するＭＰＥＧ−２コーデック１１４と、後述のＮＴＳＣ（National Television System Committee）エンコーダからのアナログ映像信号を出力するビデオ出力端子１１５と、液晶ディスプレイ１１２で表示されるものと同一の画像をアナログ化し、ビデオ出力端子１１５に出力するＮＴＳＣエンコーダ１１６と、後述の光ディスク１１８に対してデータの読み書きを行うディスクドライバ１１７と、画像/音声データバス１０８からのＭＰＥＧ−２画像データを記録する光ディスク１１８と、後述のＵＳＢ（Universal Serial Bus）インターフェース１２０からのデータを出力するＵＳＢ端子１１９と、光ディスク１１８に記録されたＭＰＥＧ−２方式の画像データをそのまま外部に出力するＵＳＢインターフェース１２０と、本体の電源を操作するための電源（ＰＯＷＥＲ）スイッチや、カメラ（撮影）モードとコンテンツプレイ（再生）モードを切り換えるためのモードスイッチ、その他各種スイッチおよびダイヤル類を含む、使用者が本体に対する操作を行うための操作キー１２１と、機器全体のモードを制御したり、操作キー１２１を検出して各種機能の実行を制御するメインのマイクロコンピュータ（以下、「メインマイコン」と略して言う）１２２と、該メインマイコン１２２の所定の状態、また次回再生モードにおいて再生を開始する再生開始点を記憶する不揮発性メモリであるＥＥＰＲＯＭ（Electrically Erasable Programmable Read-Only Memory）１２３と、メインマイコン１２３からの制御信号や、操作キー１２１からの信号が行き来する制御信号バス１２４とによって、主として構成されている。
【００１４】
以下、以上のように構成されたデジタルビデオカメラが実行する制御動作を説明する。
【００１５】
図２は、本実施の形態のデジタルビデオカメラ、特に前記メインマイコン１２２が実行するカメラモード時処理の手順を示すフローチャートである。本カメラモード時処理は、使用者が前記モードスイッチを操作してカメラモードを選択したときに、起動される。
【００１６】
同図に示すように、本カメラモード時処理が起動されると、まずステップＳ１にて、メインマイコン１２２は撮影待機状態になり、次にステップＳ２にて、メインマイコン１２２は撮影トリガ操作待ちの状態となる。使用者が撮影を開始するために操作キー１２１の１つであるトリガスイッチ（図示せず）を操作すると、メインマイコン１２２はステップＳ３以降の撮影プロセスに入る。すなわち、ステップＳ３にて、前記光ディスク１１８に記録されているコンテンツのうち最後に記録されているコンテンツの撮影日時と現在の時刻とを比較し、ステップＳ４にて、記録を開始するコンテンツがその日最初の記録であるか否かを判別する。この判別の結果、最初の記録であれば、ステップＳ５にてレジュームポイント更新フラグをセット（“１”）する一方、最初の記録でなければ、レジュームポイント更新フラグをセットしない。ここで、レジュームポイントとは、次回プレイモードにして再生開始キーを操作したときに再生が開始される位置を示す、光ディスク１１８上のアドレスである。
【００１７】
その後、ステップＳ６にて、レジュームポイント更新フラグをチェックし、レジュームポイント更新フラグがセットされている場合には、ステップＳ７にて、コンテンツを記録しようとする前記光ディスク１１８上のアドレスをレジュームポイントとして前記ＥＥＰＲＯＭ１２３に格納し、ステップＳ８にて、セットされていたレジュームポイント更新フラグをクリア（“０”）し、ステップＳ９にて、コンテンツの実際の記録を開始する。
【００１８】
一方、ステップＳのチェックの結果、レジューム更新フラグがセットされていない場合には、レジュームポイントの格納などは行わず、直ちにステップＳ９にて、コンテンツの実際の記録を開始する。
【００１９】
図３は、本実施の形態のデジタルビデオカメラ、特に前記メインマイコン１２２が実行するプレイモード時処理の手順を示すフローチャートである。本プレイモード時処理は、使用者が前記モードスイッチを操作してプレイモードを選択したときに、起動される。
【００２０】
同図に示すように、本プレイモード時処理が起動されると、まずステップＳ１１にて、メインマイコン１２２は再生操作待ち状態となる。
【００２１】
次に、使用者が、録画コンテンツの再生を行うために、前記操作キー１２１の１つである再生ボタンを押すと、ステップＳ１２にて、前記レジュームポイント更新フラグをセットし、ステップＳ１３にて、コンテンツの再生を開始する。再生が開始されると、ステップＳ１４にて、停止キー待ちの状態となり、使用者が停止操作を行うと、ステップＳ１５にて、再生を停止する。
【００２２】
その後、ステップＳ１６にて、コンテンツ上の再生を停止した場所を示す、前記光ディスク１１８上のアドレスを、レジュームポイントとして前記ＥＥＰＲＯＭ１２３に記録する。なお、このときは、レジュームポイント更新フラグはセットされたままで、クリアはされない。
【００２３】
図４は、本実施の形態のデジタルビデオカメラ、特に前記メインマイコン１２２が実行する本体電源ＯＮ時処理の手順を示すフローチャートである。本本体電源ＯＮ時処理は、使用者が前記電源スイッチを操作して本体の電源が投入されたときに、起動される。
【００２４】
同図に示すように、本本体電源ＯＮ時処理が起動されると、ステップＳ２１にて、メインマイコン１２２は前記レジュームポイント更新フラグをセットする。
【００２５】
図５は、以上説明した本実施の形態のデジタルビデオカメラでなされた制御処理結果の一例を示す図である。図示例では、前記光ディスク１１８上にすでに１つのコンテンツが記録されているものとしている。
【００２６】
同図（ａ）は、プレイモードにて、この既存のコンテンツを再生した後、停止し、そのままカメラモードに移行し、録画など行わない状態で、再びプレイモードに戻して、再生を行う場合を示している。この場合、前記ステップＳ１２にて、レジュームポイント更新フラグがセットされるが、ステップＳ１６にて、ＥＥＰＲＯＭ１２３に格納される再生停止アドレスがその後上書きされず有効な状態となる。よって、再生の開始位置は、同図（ａ）に示すように、前回コンテンツの再生を停止した位置となる。
【００２７】
図５（ｂ）は、プレイモードにて、前記既存の既存のコンテンツを再生した後、停止し、そのままカメラモードに移行し、新規コンテンツ１を撮影し、さらに一旦停止した後に、新規コンテンツ２を撮影し、プレイモードに戻して、再生を行う場合を示している。この場合、前記ステップＳ１２にて、レジュームポイント更新フラグがセットされ、その後カメラモードにおいて新規コンテンツ１を記録する際に、前記ステップＳ９にて、ＥＥＰＲＯＭ１２３に格納される、新規コンテンツ１の記録開始アドレスが有効な状態となる。新規コンテンツ２の記録時は、レジュームポイント更新フラグがクリアされているので、ＥＥＰＲＯＭ１２３に格納された、記録開始アドレスは更新されない。よって、再生の開始位置は、同図（ｂ）に示すように、新規コンテンツ１の記録開始の位置となる。
【００２８】
図５（ｃ）は、プレイモードにて、前記既存のコンテンツを再生した後、停止し、そのままカメラモードに移行して、新規コンテンツ３を撮影し、本体の電源を切った後、再び本体の電源を入れ、カメラモードに移行して、新規コンテンツ４を撮影し、その後プレイモードにして、再生を行う場合を示している。この場合、新規コンテンツ３を記録する際に、前記ステップＳ９にてＥＥＰＲＯＭ１２３に新規コンテンツ３の記録開始アドレスが格納されるが、電源が切られ、その後電源が入るときに、前記ステップＳ２１にて、レジュームポイント更新フラグがセットされ、その後、新規コンテンツ４の記録時に、再びステップＳ９にてＥＥＰＲＯＭ１２３に新規コンテンツ４の記録開始アドレスが格納される。したがって、前記プレイモードでの再生開始位置は、同図（ｃ）に示すように、新規コンテンツ４の記録開始の位置となる。
【００２９】
なお、本実施の形態では映像の記録媒体として光ディスクを用いているが、さらに大容量の固定式メディアであるハードディスクドライブなどを用いる構成としてもよい。
【００３０】
（第２の実施の形態）
次に、本発明の第２の実施の形態に係る撮像装置を適用したデジタルビデオカメラについて説明する。
【００３１】
本実施の形態のデジタルビデオカメラは、上記第１の実施の形態のデジタルビデオカメラに対して、カメラモード時処理の一部が異なるのみであるので、ハードウェアは、上記第１の実施の形態のデジタルビデオカメラのハードウェア、すなわち、図１に記載のものをそのまま使用するものとする。
【００３２】
図６は、本実施の形態のデジタルビデオカメラ、特にメインマイコン１２２が実行するカメラモード時処理の手順を示すフローチャートである。同図中、図２と同様のステップには同一符号を付して、その説明は省略する。
【００３３】
図６において、ステップＳ３１にて、最後のコンテンツが記録された撮影日時から所定の日数が経過している場合には、ステップＳ５に移行する一方、最初の記録でない場合には、ステップＳ５をスキップして、ステップＳ６に移行する。
【００３４】
本実施の形態のデジタルビデオカメラが実行するプレイモード時処理の手順は、前記図３のフローチャートで示される手順と同様であるので、その説明は省略する。
【００３５】
図７は、本実施の形態のデジタルビデオカメラでなされた制御処理結果の一例を示す図である。図示例では、光ディスク１１８上にすでに１つのコンテンツが記録されているものとしている。
【００３６】
同図（ａ）は、プレイモードにて、この既存のコンテンツを再生した後、停止し、そのままカメラモードに移行して、新規コンテンツ５を撮影し、本体に設定された所定時間、たとえば３時間以上経った状態で、新規コンテンツ６を撮影し、その後プレイモードに移行して、再生を行う場合を示している。この場合、新規コンテンツ５を記録する際に、前記図６のステップＳ７にて、ＥＥＰＲＯＭ１２３に新規コンテンツ３の記録開始アドレスが格納されるが、３時間以上経過後に、新規コンテンツ６を記録する際に、図６のステップＳ６にて、レジュームポイント更新フラグがセットされ、その後再び前記ステップＳ７にて、ＥＥＰＲＯＭ１２３に新規コンテンツ６の記録開始アドレスが格納される。したがって、前記プレイモードでの再生開始位置は、新規コンテンツ６の記録開始の位置となる。
【００３７】
同図（ｂ）は、前記ステップＳ３１での条件分岐を、前回の撮影日時の翌日以降であるかで分岐する構成とした場合の動作の一例を示し、プレイモードにて、既存のコンテンツを再生した後、停止し、そのままカメラモードに移行して、新規コンテンツ７を撮影し、その翌日に、新規コンテンツ８を撮影し、その後プレイモードに移行して再生を行う場合を示している。この場合、コンテンツ７を記録する際に、前記ステップＳ７にて、ＥＥＰＲＯＭ１２３に新規コンテンツ７の記録開始アドレスが格納されるが、翌日に新規コンテンツ８を記録する際に、前記ステップＳ６にて、レジュームポイント更新フラグがセットされ、その後再び前記ステップＳ７にて、ＥＥＰＲＯＭ１２３に新規コンテンツ８の記録開始アドレスが格納される。したがって、前記プレイモードでの再生開始位置は、新規コンテンツ８の記録開始の位置となる。
【００３８】
なお、本実施の形態では映像の記録媒体として光ディスクを用いているが、さらに大容量の固定式メディアであるハードディスクドライブなどを用いる構成としてもよい。
【００３９】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００４０】
この場合、記憶媒体から読出されたプログラムコード自体が本発明の新規な機能を実現することになり、そのプログラムコードおよび該プログラムコードを記憶した記憶媒体は本発明を構成することになる。
【００４１】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００４２】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００４３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【図面の簡単な説明】
【００４４】
【図１】本発明の第１の実施の形態に係る撮像装置を適用したデジタルビデオカメラの概略構成を示すブロック図である。
【図２】図１のデジタルビデオカメラ、特にメインマイコンが実行するカメラモード時処理の手順を示すフローチャートである。
【図３】図１のデジタルビデオカメラ、特にメインマイコンが実行するプレイモード時処理の手順を示すフローチャートである。
【図４】図１のデジタルビデオカメラ、特にメインマイコンが実行する本体電源ＯＮ時処理の手順を示すフローチャートである。
【図５】図１のデジタルビデオカメラでなされた制御処理結果の一例を示す図である。
【図６】本発明の第２の実施の形態に係る撮像装置を適用したデジタルビデオカメラ、特にメインマイコンが実行するカメラモード時処理の手順を示すフローチャートである。
【図７】本発明の第２の実施の形態に係る撮像装置を適用したデジタルビデオカメラでなされた制御処理結果の一例を示す図である。
【符号の説明】
【００４５】
１０１  撮影レンズ
１０２  絞り
１０３  撮像素子
１０４  ＣＤＳ／ＡＧＣ回路
１０５  デジタル信号処理回路
１０６  フレームメモリ
１０７  画素数調整回路
１０８  画像/音声データバス
１０９  マイクロフォン
１１０  増幅器
１１１  Ａ／Ｄコンバータ
１１２  液晶ディスプレイ
１１３  液晶ドライバ
１１４  ＭＰＥＧコーデック
１１５  ビデオ出力端子
１１６  ＮＴＳＣエンコーダ
１１７  ディスクドライバ
１１８  光ディスク
１１９  ＵＳＢ端子
１２０  ＵＳＢインターフェース
１２１  操作キー
１２２  メインマイコン
１２３  ＥＥＰＲＯＭ
【図１】
2006217263.tif 000003
【図２】
2006217263.tif 000004
【図３】
2006217263.tif 000005
【図４】
2006217263.tif 000006
【図５】
2006217263.tif 000007
【図６】
2006217263.tif 000008
【図７】
2006217263.tif 000009